【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
患者内の標的の超音波療法のための患者特異的周波数最適化システムであって、前記システムは、
（ａ）超音波変換器の少なくとも１つの区画のためおよび試験範囲内の複数の超音波周波数の各々のための、前記標的を音波処理するための手段、および、前記標的において吸収される超音波エネルギーの量と相関されるパラメータを測定するための手段と、
（ｂ）前記少なくとも１つの区画の各々のための、後続の超音波療法のために前記試験範囲内の周波数のうち前記測定されたパラメータの値に対応する周波数を選択するための手段であって、前記測定されたパラメータの値自体が、前記標的において吸収される超音波エネルギーの最大量に対応する、手段と
を含む、システム。
【請求項２】
前記少なくとも１つの区画を前記選択された周波数および治療用エネルギーレベルにおいて駆動し、それによって、前記標的を音波処理するための手段であって、前記治療用エネルギーレベルは、（ａ）で印加された音波処理のエネルギーレベルを超える、手段をさらに含む、請求項１に記載のシステム。
【請求項３】
（ａ）および（ｂ）は、前記超音波変換器内の複数の区画の各々のためのものであり、前記システムは、超音波療法の間、前記複数の区画をともに、各々その個別の選択された周波数において駆動するための手段をさらに含み、前記複数の区画は、前記患者の生体構造に少なくとも部分的に基づいて定義される、請求項１に記載のシステム。
【請求項４】
前記試験範囲内の前記複数の周波数は、以前に試験された周波数に関して測定された前記パラメータの値に少なくとも部分的に基づいて、動的に定義される、請求項１に記載のシステム。
【請求項５】
前記パラメータは、電力、エネルギー、強度、音響力、組織変位、および温度から成る群から選択される、請求項１に記載のシステム。
【請求項６】
前記パラメータは、温度測定を使用して測定される、請求項１に記載のシステム。
【請求項７】
患者内の標的の超音波療法のための患者特異的周波数を選択するためのシステムであって、前記システムは、
超音波変換器と、前記標的を音波処理するように、前記変換器を周波数の試験範囲内の任意の周波数において駆動可能な関連付けられたコントローラと、
前記標的において吸収される超音波エネルギーの量と相関されるパラメータを測定するための測定設備と、
（ｉ）前記超音波変換器コントローラに、前記標的を音波処理するように前記試験範囲内の複数の周波数の各々において前記変換器の少なくとも１つの区画を連続して駆動させることと、（ｉｉ）前記測定設備に、前記周波数の各々に対して、前記標的において吸収される超音波エネルギーの量と相関されるパラメータを測定させることと、（ｉｉｉ）前記少なくとも１つの区画の各々に対して、後続の集束超音波療法のために、前記試験範囲内の周波数のうち、前記測定されたパラメータの値に対応する周波数を選択することであって、前記測定されたパラメータの値自体は、前記標的において吸収される超音波エネルギーの最大量に対応する、こととのための計算設備と
を備える、システム。
【請求項８】
前記測定設備は、磁気共鳴撮像装置を備える、請求項７に記載のシステム。
【請求項９】
前記超音波変換器は、複数の区画を備える、請求項７に記載のシステム。
【請求項１０】
前記コントローラは、前記超音波変換器に、超音波療法の間、前記複数の区画をともに、各々その個別の選択された周波数において駆動させるように構成されている、請求項９に記載のシステム。
【請求項１１】
患者内の標的の超音波療法のための患者特異的周波数最適化システムであって、前記システムは、
超音波変換器アレイ内の複数の区画と、
前記複数の区画の各々に対して別個に、前記標的を音波処理するように試験周波数範囲内の複数の周波数の各々に対して前記区画を連続的に駆動するための手段と、
前記周波数の各々に対して、前記標的において吸収される超音波エネルギーの量と相関されるパラメータを測定するための手段と、
前記複数の周波数の各々に対して、前記複数の区画に関して測定された前記パラメータの値を組み合わせて、前記標的において吸収される超音波エネルギーの総量と相関される総パラメータ値にするための手段と、
後続の集束超音波療法のために、前記複数の周波数のうち、前記測定された総パラメータの値に対応する周波数を選択するための手段であって、前記測定された総パラメータの値自体は、前記標的において吸収される超音波エネルギーの最大総量に対応する、手段と
を含む、システム。
【請求項１２】
前記パラメータは、電力、エネルギー、強度、音響力、組織変位、または温度から成る群から選択される、請求項１１に記載のシステム。
【請求項１３】
前記パラメータは、温度測定を使用して測定される、請求項１１に記載のシステム。
【請求項１４】
前記パラメータは、音響放射力撮像を使用して測定される、請求項１１に記載のシステム。
【請求項１５】
患者内の標的の超音波療法のための患者特異的周波数を選択するためのシステムであって、前記システムは、
複数の区画を備える超音波変換器と、前記標的を音波処理するように、前記変換器区画のそれぞれを周波数の範囲内の複数の周波数のいずれかにおいて駆動可能である関連付けられたコントローラと、
前記標的において吸収される超音波エネルギーの量と相関されるパラメータを測定するための測定設備と、
（ｉ）前記超音波変換器コントローラに、前記標的を音波処理するように試験範囲内の複数の周波数の各々において前記区画のそれぞれを別個に連続して駆動させることと、（ｉｉ）前記測定設備に、前記周波数の各々に対して、前記標的において吸収される超音波エネルギーの量と相関されるパラメータを測定させることと、（ｉｉｉ）前記複数の周波数の各々に対して、前記複数の区画に関して測定された前記パラメータの値を組み合わせて前記標的において吸収される超音波エネルギーの総量と相関される総パラメータ値にすることと、（ｉｖ）後続の集束超音波療法のために、前記複数の周波数のうち、前記測定された総パラメータの値に対応する最適周波数を選択することであって、前記測定された総パラメータの値自体は、前記標的において吸収される超音波エネルギーの最大総量に対応する、こととのための計算設備と
を備える、システム。
【請求項１６】
前記測定設備は、磁気共鳴撮像装置を備える、請求項１５に記載のシステム。
【請求項１７】
前記測定されるパラメータは、組織変位である、請求項１５に記載のシステム。
【請求項１８】
前記コントローラは、前記超音波変換器に、超音波療法の間、前記選択される最適周波数において前記複数の区画をともに駆動させるように構成されている、請求項１５に記載のシステム。
【手続補正２】
【補正対象書類名】明細書
【補正対象項目名】００１５
【補正方法】変更
【補正の内容】
【００１５】
さらなる側面では、患者内の標的の超音波療法のための患者特異的周波数を選択するためのシステムが、提供される。本システムは、複数の区画を備える超音波変換器と、標的を音波処理するように、変換器区画のそれぞれを周波数の範囲内の複数の周波数のいずれかにおいて駆動可能なおよび関連付けられたコントローラと、標的内に吸収される超音波エネルギーの量と相関されるパラメータ（例えば、組織変位等）を測定するための測定設備（例えば、ＭＲＩ装置）とを含む。さらに、本システムは、（ｉ）超音波変換器コントローラに、標的を音波処理するように試験範囲内の複数の周波数の各々に対して区画のそれぞれを別個に連続して駆動させることと、（ｉｉ）測定設備に、周波数の各々に対して、標的内に吸収される超音波エネルギーの量と相関されるパラメータを測定させることと、（ｉｉｉ）複数の周波数の各々に対して、複数の区画に関して測定されたパラメータの値を標的内に吸収される超音波エネルギーの総量と相関される総パラメータ値に組み合わせ、（ｉｖ）後続の集束超音波療法のために、複数の周波数のうち、標的内に吸収される超音波エネルギーの最大総量にそれ自体が対応する測定された総パラメータの値に対応する最適周波数を選択するための計算設備を含む。コントローラは、超音波変換器に、超音波療法の間、選択される最適周波数において区画をともに駆動させるように構成されてもよい。
本発明は、例えば、以下を提供する。
（項目１）
患者内の標的の超音波療法のための患者特異的周波数最適化方法であって、前記方法は、
（ａ）超音波変換器の少なくとも１つの区画に対して、かつ試験範囲内の複数の超音波周波数の各々に対して、前記標的を音波処理し、前記標的において吸収される超音波エネルギーの量と相関されるパラメータを測定することと、
（ｂ）前記少なくとも１つの区画の各々に対して、後続の超音波療法のために、前記試験範囲内の周波数のうち、前記測定されたパラメータの値に対応する周波数を選択することであって、前記測定されたパラメータの値自体が、前記標的において吸収される超音波エネルギーの最大量に対応する、ことと
を含む、方法。
（項目２）
ステップ（ｂ）における周波数選択に続いて、前記少なくとも１つの区画を前記選択された周波数および治療用エネルギーレベルに駆動し、それによって、前記標的を音波処理することであって、前記治療用エネルギーレベルは、ステップ（ａ）において印加された音波処理のエネルギーレベルを超える、ことをさらに含む、項目１に記載の方法。
（項目３）
前記患者の生体構造に少なくとも部分的に基づいて、前記超音波変換器内の複数の区画を定義することをさらに含む、項目１に記載の方法。
（項目４）
ステップ（ａ）およびステップ（ｂ）は、前記区画の各々に対して行われ、前記方法は、超音波療法の間、前記区画をともに、各々その個別の選択された周波数において駆動することをさらに含む、項目３に記載の方法。
（項目５）
前記試験範囲内の複数の周波数は、以前に試験された周波数に関して測定されるパラメータの値に少なくとも部分的に基づいて、動的に定義される、項目１に記載の方法。
（項目６）
前記パラメータは、電力、エネルギー、強度、音響力、組織変位、および温度から成る群から選択される、項目１に記載の方法。
（項目７）
前記パラメータは、温度測定を使用して測定される、項目１に記載の方法。
（項目８）
患者内の標的の超音波療法のための患者特異的周波数を選択するためのシステムであって、前記システムは、
超音波変換器と、前記標的を音波処理するように、前記変換器を周波数の試験範囲内の任意の周波数において駆動可能な関連付けられたコントローラと、
前記標的において吸収される超音波エネルギーの量と相関されるパラメータを測定するための測定設備と、
（ｉ）前記超音波変換器コントローラに、前記標的を音波処理するように、前記試験範囲内の複数の周波数の各々において、前記変換器の少なくとも１つの区画を連続して駆動させることと、（ｉｉ）前記測定設備に、前記周波数の各々に対して、前記標的において吸収される超音波エネルギーの量と相関されるパラメータを測定させることと、（ｉｉｉ）前記少なくとも１つの区画の各々に対して、後続の集束超音波療法のために、前記試験範囲内の周波数のうち、前記測定されたパラメータの値に対応する周波数を選択することであって、前記測定されたパラメータの値自体は、前記標的において吸収される超音波エネルギーの最大量に対応する、こととのための計算設備と
を備える、システム。
（項目９）
前記測定設備は、磁気共鳴撮像装置を備える、項目８に記載のシステム。
（項目１０）
前記超音波変換器は、複数の区画を備える、項目８に記載のシステム。
（項目１１）
前記コントローラは、前記超音波変換器に、超音波療法の間、前記区画をともに、各々その個別の選択された周波数において駆動させるように構成されている、項目１０に記載のシステム。
（項目１２）
患者内の標的の超音波療法のための患者特異的周波数最適化方法であって、前記方法は、
超音波変換器アレイ内の複数の区画を定義することと、
前記区画に対して別個に、前記標的を音波処理するように試験周波数範囲内の複数の周波数の各々に対して前記区画を連続的に駆動することと、
前記周波数の各々に対して、前記標的において吸収される超音波エネルギーの量と相関されるパラメータを測定することと、
前記複数の周波数の各々に対して、前記複数の区画に関して測定された前記パラメータの値を組み合わせて、前記標的において吸収される超音波エネルギーの総量と相関される総パラメータ値にすることと、
後続の集束超音波療法のために、前記複数の周波数のうち、前記測定された総パラメータの値に対応する周波数を選択することであって、前記測定された総パラメータの値自体は、前記標的において吸収される超音波エネルギーの最大総量に対応する、ことと
を含む、方法。
（項目１３）
前記パラメータは、電力、エネルギー、強度、音響力、組織変位、または温度から成る群から選択される、項目１２に記載の方法。
（項目１４）
前記パラメータは、温度測定を使用して測定される、項目１２に記載の方法。
（項目１５）
前記パラメータは、音響放射力撮像を使用して測定される、項目１２に記載の方法。
（項目１６）
患者内の標的の超音波療法のための患者特異的周波数を選択するためのシステムであって、前記システムは、
複数の区画を備える超音波変換器と、前記標的を音波処理するように、前記変換器区画のそれぞれを周波数の範囲内の複数の周波数のいずれかにおいて駆動可能である関連付けられたコントローラと、
前記標的において吸収される超音波エネルギーの量と相関されるパラメータを測定するための測定設備と、
（ｉ）前記標的を音波処理するように、試験範囲内の複数の周波数の各々において、前記超音波変換器コントローラに、前記区画のそれぞれを別個に連続して駆動させることと、（ｉｉ）前記測定設備に、前記周波数の各々に対して、前記標的において吸収される超音波エネルギーの量と相関されるパラメータを測定させることと、（ｉｉｉ）前記複数の周波数の各々に対して、前記複数の区画に関して測定された前記パラメータの値を組み合わせて前記標的において吸収される超音波エネルギーの総量と相関される総パラメータ値にすることと、（ｉｖ）後続の集束超音波療法のために、前記複数の周波数のうち、前記測定された総パラメータの値に対応する最適周波数を選択することであって、前記測定された総パラメータの値自体は、前記標的において吸収される超音波エネルギーの最大総量に対応することとのための計算設備と
を備える、システム。
（項目１７）
前記測定設備は、磁気共鳴撮像装置を備える、項目１６に記載のシステム。
（項目１８）
前記測定されるパラメータは、組織変位である、項目１６に記載のシステム。
（項目１９）
前記コントローラは、前記超音波変換器に、超音波療法の間、前記区画をともに前記選択される最適周波数において駆動させるように構成されている、項目１６に記載のシステム。